(57)【特許請求の範囲】
【請求項１】
遊技盤固定用締付具には、機構板に装着する本体枠の上下のいずれかの一側端部に開口溝を有する係止片部を設け、他側端部にフランジ片を設けると共に、該フランジ片の一部に底面と内側面とが開口された袋状の嵌合部を設け、
機構板には、遊技盤固定用締付具を装着する取付部を設け、
前記取付部の上下位置に支持片を設けて該支持片と取付部との間に挿入間隙を形成し、前記一方の挿入間隙内であって前記遊技盤固定用締付具の係止片部に対応する位置に第１の筒状突起を設けると共に、前記他方の挿入間隙外であって前記遊技盤固定用締付具の嵌合部に対応する位置に第２の筒状突起を設け、
また、前記取付部には前記遊技盤固定用締付具を装着した際に内側に位置する本体枠の側面に当接する枠片を設けると共に、
前記遊技盤固定用締付具を装着した際に外側に位置する本体枠の側面に当接し、且つ上面が内側方向に向かうテーパー面として形成された係合突起を設け、
前記本体枠の係止片部を一方の挿入間隙に挿入して開口溝を第１の筒状突起に嵌めた後に、他方の挿入間隙に本体枠のフランジ片を挿入すると共に前記袋状の嵌合部に前記第２の筒状突起を挿入し、さらに本体枠の左右両側面に枠片と係合突起をそれぞれ係合させることによって機構板に遊技盤固定用締付具を固定するようにしたことを特徴とするパチンコ機における遊技盤固定用締付具の取付構造。
【請求項２】
機構板の取付部であり、かつ係合突起の両側に沿うように切欠溝を設け、該切欠溝によって係合突起に弾性を付与するようにしたことを特徴とする請求項１記載のパチンコ機における遊技盤固定用締付具の取付構造。
【発明の詳細な説明】
【０００１】
【発明の属する技術分野】
本発明は、パチンコ機の遊技盤を機構板を介して押圧固定するための遊技盤固定用締付具の取付構造に関するものである。
【０００２】
【従来の技術】
従来、この種の遊技盤固定用締付具の機構板の取付けは、例えば図１０に示すように本体枠１００の上端部分にねじ挿通孔１０１を設けると共に、その下端部分に突出片１０２を形成し、一方、機構板１０３に設けられた取付凹部１０４に突起１０６と差込溝１０７とを設け、前記本体枠１００の突出片１０２を差込溝１０７に差込んで係止させると共に、ねじ挿通孔１０１から突起１０６の中心のねじ孔１０５にねじ１０８を螺合して締着するようにしていた。
【０００３】
【発明が解決しようとする課題】
このようにねじを使用しての遊技盤固定用締付具の取付けは、煩わしさがあるばかりか組立て工程が増加してコストアップにつながっていた。しかも、１台のパチンコ機に対して複数個の締付具を取付ける必要があるため、手間が掛かって組立て作業の作業能率を著しく低下させるという問題点があった。
【０００４】
本発明は、上記のような問題点に鑑みてなされたもので、その目的とするところは、簡単な構造で遊技盤固定用締付具をねじ止めすることなく取付けることができるようにし、しかもその取付け状態を確固と維持し続けることができるようなパチンコ機における遊技盤固定用締付具の取付構造を提供しようとするものである。
【０００５】
【課題を解決するための手段】
上記した目的を達成するために本発明のパチンコ機における遊技盤固定用締付具の取付構造は、遊技盤固定用締付具には、機構板に装着する本体枠の上下のいずれかの一側端部に開口溝を有する係止片部を設け、他側端部にフランジ片を設けると共に、該フランジ片の一部に底面と内側面とが開口された袋状の嵌合部を設け、機構板には、遊技盤固定用締付具を装着する取付部を設け、前記取付部の上下位置に支持片を設けて該支持片と取付部との間に挿入間隙を形成し、前記一方の挿入間隙内であって前記遊技盤固定用締付具の係止片部に対応する位置に第１の筒状突起を設けると共に、前記他方の挿入間隙外であって前記遊技盤固定用締付具の嵌合部に対応する位置に第２の筒状突起を設け、また、前記取付部には前記遊技盤固定用締付具を装着した際に内側に位置する本体枠の側面に当接する枠片を設けると共に、前記遊技盤固定用締付具を装着した際に外側に位置する本体枠の側面に当接し、且つ上面が内側方向に向かうテーパー面として形成された係合突起を設け、前記本体枠の係止片部を一方の挿入間隙に挿入して開口溝を第１の筒状突起に嵌めた後に、他方の挿入間隙に本体枠のフランジ片を挿入すると共に前記袋状の嵌合部に前記第２の筒状突起を挿入し、さらに本体枠の左右両側面に枠片と係合突起をそれぞれ係合させることによって機構板に遊技盤固定用締付具を固定するようにしたものである。
【０００６】
前記遊技盤固定用締付具の取付けを容易かつ円滑にするために、本体枠の内側に位置する側面に係止突起が接触しないで通過し得るように切欠開口を設けるのが好ましい。
【０００７】
また、同様の目的で、機構板の取付部であり、かつ係合突起の両側に沿うように切欠溝を設け、該切欠溝によって係合突起に弾性を付与するようにするとよい。
【０００８】
【発明の実施の形態】
次に図面に従い本発明の一実施の形態について説明する。図１は本発明が適用されるパチンコ機の裏面図、図２は遊技盤固定用締付具の取付け状態を示す斜視図、図３は機構板から遊技盤固定用締付具を取外した状態の斜視図、図４は遊技盤固定用締付具の分解斜視図である。図において、１はパチンコ機の側枠、２は側枠１の前面に開閉自在に装着された前面枠である。前面枠２の裏面には遊技盤取付枠３を介して遊技盤４が着脱自在に装着されており、該遊技盤４の裏面には入賞球集合部５，球タンク６，パチンコ球払出装置７等の裏部品を組付けた合成樹脂製の機構板８が開閉自在に装着されている。そして、機構板８の開放側に位置した側縁の上下部に遊技盤固定用締付具９を取着するための取付部１０，１０が突出形成されている。
【０００９】
前記遊技盤固定用締付具９は、図４に示すように合成樹脂によって形成された本体枠１１とレバー１２と係合部材１３との３部材で構成されている。本体枠１１は機構板８の取付部１０，１０上面に密着される底部１４と該底部１４の左右両側に対向状に設けられる側面壁１５ａ，１５ｂとによって断面コ字形に形成される。また、両側面壁１５ａ，１５ｂにはガイド用の長溝１６，１６が底部１４と平行状に設けられており、該長溝１６，１６の上端は鍵孔状に屈曲する係合部１７，１７として形成されている。
【００１０】
前記レバー１２は、下面に扇形状のリブ壁１８を有し、該リブ壁１８の両側に連係ピン１９，１９が一体に突設されている。また、レバー１２の上端には上面側が開口した断面Ｃ字形の嵌合凹部２０が形成されている。
【００１１】
前記係合部材１３は、断面円形状の係合部２１と該係合部２１の両側に突設される腕片２２，２２とによってコ字形に形成されている。そして、係合部２１の両端に突設したガイドピン２３，２３を本体枠１１の長溝１６，１６に嵌挿すると共に、腕片２２，２２の上端に設けられた円形孔２４，２４をレバー１２の連係ピン１９，１９に嵌め合わせることによって該レバー１２に枢支連結される。また、レバー１２は嵌合凹部２０を本体枠１１に差渡した横軸２５に下側から臨ませて嵌め込むことにより本体枠１１に回動自在に軸支される。なお、この遊技盤固定用締付具９についてのさらに詳しい説明は本出願人による実願平３−９２２２８号の明細書に記載してある。
【００１２】
しかして、前記遊技盤固定用締付具９の本体枠１１であり、その底部１４下端には開口溝２６を有する係止片部２７が一体に設けられている。また、本体枠１１の底部１４上端には左右の側面壁１５ａ，１５ｂから上方に突出するようにフランジ片１４ａが延長形成されており、そのフランジ片１４ａ部分に底面と内側面とが開口された袋状の嵌合部２８が形成されている。なお、前記係止片部２７は円弧状に緩るやかに弯曲する形状に形成するのが好適である。これは、後述する機構板８の取付部１０に形成される挿入間隙３０ｂへの挿入がスムーズに行われるようにするためである。
【００１３】
一方、機構板８の取付部１０，１０には図３に示すようにその上下位置に支持片２９ａ，２９ｂが対向状に設けられており、該支持片２９ａ，２９ｂによって取付部１０の上面との間に挿入間隙３０ａ，３０ｂがそれぞれ形成されている。そして、一方の支持片２９ｂには挿入間隙３０ｂ内に位置するように筒状突起３１を設けている。なお、前記挿入間隙３０ａ，３０ｂは本体枠１１の係止片部２７及びフランジ片１４ａの肉厚寸法と等しく形成されている。
【００１４】
さらに、前記取付部１０，１０には締付具９の本体枠１１であり、その内側に位置する側面壁１５ａに当接する枠片３２と、該本体枠１１を枠片３２に当接した状態で該本体枠１１の外側に位置する側面壁１５ｂに当接する係合突起３３を設けている。この係合突起３３の上面は取付部１０の端部から内側方向に向かうテーパー面３４として形成されている。
【００１５】
上記ように構成したパチンコ機における遊技盤固定用締付具９の取付構造において、その遊技盤固定用締付具９の取付けは、図５鎖線で示すようにまず機構板８に形成した取付部１０の挿入間隙３０ｂに遊技盤固定用締付具９の係止片部２７を挿入して筒状突起３１に開口溝２６を嵌合する。これによって、遊技盤固定用締付具９は筒状突起３１を支点として回動可能となる。
【００１６】
次いで、固定用締付具９を図５鎖線状態から時計廻り方向に回動してフランジ片１４ａの上端を挿入間隙３０ａ内に臨ませて押し込むようにすると、両側面壁１５ａ，１５ｂの下縁が係合突起３３のテーパー面３４に接触しながら該係合突起３３を乗り越え、図５実線及び図７に示すように両側面壁１５ａ，１５ｂの側面が枠片３２と係合突起３３に密着することになる。これによって、枠片３２と係合突起３３とによって遊技盤固定用締付具９の横ズレが抑止されると共に、支持片２９ａ，２９ｂによって上下方向のガタつきも抑止されることになり、遊技盤固定用締付具９が機構板８に確固と固定される。
【００１７】
なお、本実施の形態の場合、図６に示されているように遊技盤固定用締付具９の内側に位置する側面壁１５ａの下縁に係合突起３３が通過し得るように切欠部３５が形成してある。この切欠部３５の形成によって係合突起３３との接触を外側の側面壁１５ｂのみで済むようにして遊技盤固定用締付具９の取付けを容易にしている。
【００１８】
また、機構板８の取付部１０には遊技盤固定用締付具９の袋状の嵌合部２８に嵌合する筒状突起３６が突設されている。この嵌合部２８と筒状突起３６は、例えば上部の支持片２９ａが折損したような場合、嵌合部２８のねじ挿通孔３７から筒状突起３６の中心ねじ孔３８にねじを締着することで遊技盤固定用締付具９を交換することなくそのまゝ継続して使用可能とするためのものである。
【００１９】
図６に示すように前記機構板８の取付部１０には、遊技盤固定用締付具９を装着した状態において、遊技盤取付枠３に固着された固定金具３９を臨ませるための開口４０が形成されている。固定金具３９の先端には機構板８を遊技盤４の裏面に密着させた状態において遊技盤固定用締付具９の係合部材１３の係合部２１が係合する溝部４１が形成されている。
【００２０】
したがって、遊技盤固定用締付具９のレバー１２を図６鎖線位置から同図実線位置に回動させることによって係合部材１３の係合部２１が本体枠１１の長溝１６，１６に沿って移動して固定金具３９の溝部４１に係合する。これによって、固定金具３９が引き寄せられると同時にその反動作用によって機構板８が遊技盤４の裏面に強く圧接して該遊技盤４を強固に固定することができる。
【００２１】
図８は他の実施の形態を示すもので、機構板８の取付部１０に形成された係合突起３３の両側に沿うように切欠溝４２，４２を設けることによって係合突起３３に弾性を付与させるようにしたものである。このように構成することによって、遊技盤固定用締付具９を機構板８に取付ける際に、本体枠１１の側面壁１５ｂの下縁で係合突起３３が押さえつけられても逃げる格好になるので軽い作用力で取付けることができる。
【００２２】
なお、図１において４３は機構板８の下部中央部分に装着された遊技盤固定用締付具であり、この締付具４３は図９に示すように機構板８に形成された嵌合凹部４４に嵌め合わせることによつて固定金具４５に対して正確に位置決めされると共に、本体枠４６の上部に形成された差込片４７と下部に形成された弾性片４８とを嵌合凹部４４の差込溝４９及び係合孔５０にそれぞれ係合させることによって確固と固定されるようになっている。
【００２３】
【発明の効果】
以上のように本発明に係るパチンコ機における遊技盤固定用締付具の取付構造は、簡単な構造であり、かつねじ止めを不用としてワンタッチで遊技盤固定用締付具を機構板へ容易に取付けることができ、作業性の向上，低コスト化に優れた効果を発揮する。
【図面の簡単な説明】
【図１】本発明が適用されるパチンコ機の裏面図である。
【図２】遊技盤固定用締付具の取付状態を示す斜視図である。
【図３】機構板から遊技盤固定用締付具を取外して示す斜視図である。
【図４】遊技盤固定用締付具の分解斜視図である。
【図５】遊技盤固定用締付具の取付状態を示す正面図である。
【図６】遊技盤固定用締付具の取付状態を示す側面断面図である。
【図７】遊技盤固定用締付具の取付状態を示す平面断面図である。
【図８】他の実施の形態の遊技盤固定用締付具の取付状態を示す斜視図である。
【図９】機構板の下部中央部分に装着された遊技盤固定用締付具の取付状態を示す側面断面図である。
【図１０】従来技術の説明図である。
【符号の説明】
８                機構板
９                遊技盤固定用締付具
１０              取付部
１１              本体枠
１４ａ            フランジ片
１５ａ，１５ｂ    側面壁
２６              開口溝
２７              係止片部
２９ａ，２９ｂ    支持片
３０ａ，３０ｂ    挿入間隙
３１              筒状突起
３２              枠片
３３              係合突起
３４              テーパー面
４２，４２        切欠溝
【図１】
0004313853.tif 000002
【図２】
0004313853.tif 000003
【図３】
0004313853.tif 000004
【図４】
0004313853.tif 000005
【図５】
0004313853.tif 000006
【図６】
0004313853.tif 000007
【図７】
0004313853.tif 000008
【図８】
0004313853.tif 000009
【図９】
0004313853.tif 000010
【図１０】
0004313853.tif 000011